Podtech/llm-jp-corpus-v4-ja_patent huggingface dataset:
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
歯車加工装置（１００）を駆動する方法であって、この方法は、
前記装置（１００）で、第１のワークピース（１）の加工を実施する工程であって、
その加工により前記第１のワークピース（１）は高温になる第１の工程と、
高温状態で前記第１のワークピース（１）について少なくとも１つの固有ワークピース変量（Ｗ．１）を決定する工程であって、
その決定のために、前記加工装置（１００）の測定装置（５０）が用いられる第２の工程と、
前記第１のワークピース（１）の少なくとも１つの前記固有ワークピース変量（Ｗ．１）と
基準ワークピース（Ｒ）の少なくとも１つの固有ワークピース変量（Ｗ．Ｒ）
に基づいて、補正決定を行う第３の工程を有し、
定常温度（ＴＶＨ）に到達した後、
前記加工装置（１００）において、
前記基準ワークピース（Ｒ）の前記固有ワークピース変量（Ｗ．Ｒ）が決定され、
前記補正決定の範囲で少なくとも１つの補正値が決定され、
前記少なくとも１つの補正値を考慮して装置の設定を調節し、
前記加工装置（１００）でさらなるワークピース（ｎ）の加工を実施する方法。
【請求項２】
前記基準ワークピース（Ｒ）は、前記加工装置（１００）において、
停止（Δｔ）前に加工されたワークピースの１つであることを特徴とする
請求項１に記載の方法。
【請求項３】
前記第１のワークピース（１）の加工を実施する第１の工程と、
少なくとも１つの前記固有ワークピース変量（Ｗ．１）の決定する第２の工程が、
前記停止（Δｔ）後直ぐに前記加工装置（１００）内で実施されることを特徴とする
請求項１又は２に記載の方法。
【請求項４】
定常温度は、結果的に連続稼働中の前記加工装置（１００）となる前記加工装置（１００）の温度であることを特徴とする請求項１から３のいずれかに記載の方法。
【請求項５】
前記固有ワークピース変量（Ｗ．１、Ｗ．２、Ｗ．Ｒ）の決定が前記測定装置（５０）の測定プローブ（５１）を用いて行われ、
前記測定装置（５０）は前記加工装置（１００）の一部であり、
前記固有ワークピース変量（Ｗ．１、Ｗ．２、ＷＲ）の決定中は、前記ワークピース（１、２、Ｒ）は再度固定されない
ことを特徴とする請求項１から４のいずれかに記載の方法。
【請求項６】
シャットダウンによる前記加工装置（１００）の停止、
メンテナンス又は修繕による前記加工装置（１００）の停止及び
修理による前記加工装置（１００）の停止
の３つの理由のうちの１つにより、前記停止（Δｔ）が生じるということを特徴とする
請求項１から５のいずれかに記載の方法。
【請求項７】
前記停止（Δｔ）が少なくとも１５分以上続くことを特徴とする請求項１から５のいずれかに記載の方法。
【請求項８】
前記加工装置（１００）で測定された温度が前記定常状温度（ＴＶＨ）より１０％以上低ければ、
前記加工装置（１００）の休止が前記停止（Δｔ）として数えられ、
結果的に連続稼働中の前記加工装置（１００）となることを特徴とする
請求項１から３のいずれかに記載の方法。
【請求項９】
前記第１のワークピース（１）の加工を実施する第１の工程の前に、
前記加工装置（１００）で別のワークピース（０）の加工を実施する工程であって、
この前記別のワークピース（０）が加工中に高温になる第４の工程と、
冷却状態でこの前記別のワークピース（０）の１つまたは１つ以上の固有変量を決定する工程であって、
この前記別のワークピース（０）が目標値と一致するかどうか決定する第５の工程とが、
この前記別のワークピース（０）で実施されることを特徴とする
請求項１から３のいずれかに記載の方法。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
吸収性材料から成る第１層、粉末又は顆粒の形態の超吸収性ポリマーから成る第２層、及び繊維の形態の超吸収性材料から成る第３層から成り、第２層が第１層と第３層との間に配置される創傷被覆材構成物。
【請求項２】
前記超吸収性ポリマーが、デンプン、セルロース、ポリビニルアルコール（PVA）、ポリ（エチレンオキシド）（PEO）、ポリ（アクリル酸）、アクリルモノマーから製造された合成ポリマー、炭水化物ポリマーから製造された多糖類ベースのポリマー、及びその主要な又は一部の構造としてポリペプチドを含むポリ（アミノ酸）ベースのポリマーから選択されるポリマーから成る請求項１に記載の構成物。
【請求項３】
前記超吸収性ポリマーが、ポリ（アクリル酸）又はその誘導体から成る請求項２に記載の構成物。
【請求項４】
前記超吸収性ポリマーが、前記超吸収性層と吸収性層を互いに結合させるために、熱溶融性接着剤と混合された請求項１〜３のいずれか一項に記載の構成物。
【請求項５】
前記超吸収性材料が、ポリマー材料を含む請求項１〜４のいずれか一項に記載の構成物。
【請求項６】
前記ポリマー材料が、ポリ酢酸ビニル、ポリエチレンオキシド、及びポリアクリル酸から選択される請求項５に記載の構成物。
【請求項７】
前記繊維が不織布層を形成する請求項１〜６のいずれか一項に記載の構成物。
【請求項８】
前記接着剤が感圧接着剤から成る請求項４に記載の構成物。
【請求項９】
前記接着剤が、アクリル系接着剤及びポリウレタン系接着剤から選択される請求項４に記載の構成物。
【請求項１０】
更に、高度に通気性の裏地層を含む請求項１〜９のいずれか一項に記載の構成物。
【請求項１１】
請求項１〜１０のいずれか一項に記載の創傷被覆材構成物を製造する方法であって、
（a）吸収性材料から成る第１層、粉末又は顆粒の形態の超吸収性ポリマーから成る第２層、及び繊維の形態の超吸収性材料から成る第３層を提供する段階、及び
（b）第２層を第１層及び第３層に、同時に又は逐次的に付着させ、それにより第２層を第１層と第３層との間に配置する段階、
から成る方法。
【請求項１２】
前記第２層が、前記第３層に付着される前に、前記第１層に付着される請求項１１に記載の方法。
【請求項１３】
段階（b）を実施する前に、前記超吸収性ポリマーが接着剤材料と混合される請求項１１又は１２に記載の方法。
【請求項１４】
請求項１〜１０のいずれか一項に記載の創傷被覆材構成物を含む創傷被覆材。
【請求項１５】
請求項１〜１０のいずれか一項に記載の創傷被覆材構成物又は請求項１４に記載の創傷被覆材を、生理学的標的から排出される液体を吸収する、又は生理学的標的部位から排出される液体の流れをくい止めることに使用する方法。
【手続補正２】
【補正対象書類名】図面
【補正対象項目名】図３
【補正方法】変更
【補正の内容】
【図３】
2018514360.tif 000001
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
患者の炎症性疾患を治療するための機器であって、
上腸間膜動脈神経叢（ＳＭＰ）に第１の刺激信号を印加するように構成された少なくとも１つの第１のトランスデューサと、
前記少なくとも１つの第１のトランスデューサに接続されたコントローラと、を備え、
前記コントローラは、前記少なくとも１つの第１のトランスデューサによって印加される前記第１の刺激信号が、患者の脾臓及び／又は腸管内で交感神経の緊張を局所的に高め、前記神経の神経活動を活発化させるように、前記第１の刺激信号を制御することを特徴とする機器。
【請求項２】
前記炎症性疾患は大腸炎である、請求項１に記載の機器。
【請求項３】
前記機器は、脾臓神経に第２の信号を与える第２のトランスデューサと、をさらに備える、請求項１又は２に記載の機器。
【請求項４】
各トランスデューサが印加する信号は独立して選択される、請求項１〜３の何れか１項に記載の機器。
【請求項５】
前記１又は複数の信号は、電気信号、光信号、超音波信号、及び、熱信号から選択される、請求項１〜４の何れか１項に記載の機器。
【請求項６】
前記１又は複数の信号が電気信号であり、信号を印加するように構成された前記１又はそれ以上のトランスデューサが電極である、請求項５に記載の機器。
【請求項７】
前記電極はカフ電極である、請求項６に記載の機器。
【請求項８】
前記信号は低周波の交流波形を含む、請求項６又は７に記載の機器。
【請求項９】
前記信号は周波数０．０１〜２０Ｈｚの交流波形を含む、請求項８に記載の機器。
【請求項１０】
前記信号は電流０．１〜２０ｍＡの電気信号を含む、請求項６〜９の何れか１項に記載の機器。
【請求項１１】
患者の１又はそれ以上の生理的パラメータを検出するための検知素子をさらに備えた、請求項１〜１０の何れか１項に記載の機器。
【請求項１２】
前記コントローラは前記検知素子に接続され、前記コントローラは、検出された前記生理的パラメータが所定の閾値に達している又は超えたとき、前記１又はそれ以上のトランスデューサのそれぞれから信号を印加させる、請求項１１に記載の機器。
【請求項１３】
検出される１又はそれ以上の前記生理的パラメータは、交感神経の緊張、腸管組織中及び／又は循環血中ノルエピネフリンレベル、腸管組織中及び／又は循環血中物質Ｐレベル、１又はそれ以上の炎症マーカの腸管組織中及び／又は循環血中レベルから選択される、請求項１１又は１２に記載の機器。
【請求項１４】
前記検出される１又はそれ以上の生理的パラメータは、患者の神経における活動電位又は活動電位パターンを含む、請求項１１〜１３の何れか１項に記載の機器。
【請求項１５】
前記活動電位は、患者の脾臓神経、前記ＳＭＰ又は迷走神経において発生する、請求項１４に記載の機器。
【請求項１６】
患者の体内への少なくとも部分的な埋め込みに適した、請求項１〜１５の何れか１項に記載の機器。
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
前記クラブヘッドの外辺部を画定するクラウン、前記クラウンとは反対側のソール、ヒール端部とは反対側のトウ端部、背部端部、およびホーゼルを有するゴルフクラブヘッド本体と、
クラブフェースと、
外側面と、
内側面と、
ヘッド重心と、
前記クラウンの前記外側面に隣接した位置に固定して配置されており、重心を有しており、前記クラウンに沿う細長い弓状の形状を有する重量部材と、を備え、
前記重量部材は、前記クラウンの前記外側面の外辺部の一部の周りに配置されており、
前記重量部材は、前記重量部材からヘッド重心までの距離を最大化するように配置されており、
前記重量部材の第１端部が前記クラウンのトウ端部に配置されており、前記重量部材の第２端部が前記クラウンのヒール端部に配置されており、
前記重量部材の長さは、前記第１端部から前記第２端部まで伸びる前記重量部材の中心線に沿って測定され、
前記重量部材の長さは、２．５インチから６．０インチの間の範囲であり、
前記重量部材は、任意の位置の断面で中空ではなく、
前記重量部材は、前記ゴルフクラブヘッド本体と同一の材料で構成されており、
前記重量部材は、前記ゴルフクラブヘッド本体と一体的に鋳造されており、
前記重量部材の重量が、３５グラムから１３０グラムの範囲である、ゴルフクラブヘッド。
【請求項２】
前記重量部材は、ｘ軸の前記背部端部寄りの側に配置されており、ここで、前記ｘ軸は前記ヘッド重心を通って前記トウ端部から前記ヒール端部まで延びている、請求項１に記載のゴルフクラブヘッド。
【請求項３】
前記重量部材は、（ａ）約０．２５〜１．５インチの幅、（ｂ）約０．０５〜０．４５インチの突出高さ、（ｃ）約２．５〜５．５インチの長さ、または（ｄ）これらの任意の組み合わせのうち少なくとも１つをさらに含む、請求項１に記載のゴルフクラブヘッド。
【請求項４】
前記重量部材は複数の重量部材を備える、請求項１に記載のゴルフクラブヘッド。
【請求項５】
前記複数の重量部材の各重量部材は、前記クラウンによって画定された前記外辺部の一部に沿って延びる、請求項４に記載のゴルフクラブヘッド。
【請求項６】
前記クラウンは、前記クラブフェースから前記背部端部まで延びているクラウン表面湾曲を画定し、前記重量部材は前記クラウン表面湾曲から突出する、請求項１に記載のゴルフクラブヘッド。
【請求項７】
前記クラウンおよび前記重量部材は、前記クラブフェースから前記背部端部まで延びている二峰性外形を有するクラウン表面湾曲を画定する、請求項１に記載のゴルフクラブヘッド。
【請求項８】
前記クラウンおよび前記重量部材は、前記クラウンにより画定される前記外辺部の一部において、前記クラブフェースから前記背部端部まで延びている二峰性外形を有するクラウン表面湾曲を画定する、請求項１に記載のゴルフクラブヘッド。
【請求項９】
前記重量部材は裁量的な重量から形成される、請求項１に記載のゴルフクラブヘッド。
【請求項１０】
前記クラブヘッドは、ドライバ型クラブヘッド、ウッド型クラブヘッド、またはハイブリッド型クラブヘッドである、請求項１に記載のゴルフクラブヘッド。
【請求項１１】
前記重量部材は、前記ドライバ型クラブヘッドの総重量の約１５％〜３５％の範囲の重量を有する、請求項１０に記載のゴルフクラブヘッド。
【請求項１２】
前記重量部材は、前記ウッド型クラブヘッドの総重量の約２０％〜４０％の範囲の重量を有する、請求項１０に記載のゴルフクラブヘッド。
【請求項１３】
前記重量部材は、前記ハイブリッド型クラブヘッドの総重量の約２５％〜５５％の範囲の重量を有する、請求項１０に記載のゴルフクラブヘッド。
【請求項１４】
前記重量部材は、前記ドライバ型クラブヘッドでは３５ｇ〜６０ｇの範囲の重量を有する、請求項１０に記載のゴルフクラブヘッド。
【請求項１５】
前記重量部材は、前記ウッド型クラブヘッドでは４５ｇ〜８５ｇの範囲の重量を有する、請求項１０に記載のゴルフクラブヘッド。
【請求項１６】
前記重量部材は、前記ハイブリッド型クラブヘッドでは７０ｇ〜１３０ｇの範囲の重量を有する、請求項１０に記載のゴルフクラブヘッド。
【請求項１７】
ゴルフクラブヘッドであって、
前記クラブヘッドの外辺部を画定するクラウン、前記クラウンとは反対側のソール、ヒール端部とは反対側のトウ端部、背部端部、およびホーゼルを有するゴルフクラブヘッド本体と、
クラブフェースと、
外側面と、
内側面と、
ヘッド重心と、
前記クラウンの前記外側面に隣接した位置に固定して配置されている重量部材と、を備え、
前記重量部材は、前記クラウンの前記外側面の外辺部の一部の周りに配置されており、
前記重量部材は、前記重量部材からヘッド重心までの距離を最大化するように配置されており、
前記重量部材の第１端部が前記クラウンのトウ端部に配置されており、前記重量部材の第２端部が前記クラウンのヒール端部に配置されており、
前記重量部材の長さは、前記第１端部から前記第２端部まで伸びる前記重量部材の中心線に沿って測定され、
前記重量部材の長さは、２．５インチから６．０インチの間の範囲であり、
前記重量部材は、任意の位置の断面で中空ではなく、
前記重量部材は、前記ゴルフクラブヘッド本体と同一の材料で構成されており、
前記重量部材は、前記ゴルフクラブヘッド本体と一体的に鋳造されており、
前記重量部材の重量が、３５グラムから１３０グラムの範囲であり、
前記重量部材は、重量部材重心と、前記外辺部の任意の位置において、前記クラウンから同じ垂直距離で配置されるように前記重量部材重心を通って延びる中心曲線と、を有しており、
前記外辺部に対して特定の位置における前記ヘッド重心から前記中心曲線までの第１の距離は、前記外辺部に対して特定の位置における前記ヘッド重心から前記クラウンまたは前記ソール上の前記クラブヘッドの前記内側面または前記外側面までの任意の第２の距離よりも大きい、ゴルフクラブヘッド。
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
サブタイプに特有な表示を生成するための、コンピュータ実装される方法であって、
少なくとも１つの分離株の少なくとも１つの抗菌剤に対する感受性に関する情報を受信するステップと、
前記少なくとも１つの分離株のゲノムサブタイプに関する情報を受信するステップと、
ゲノムサブタイプにより組織化された前記少なくとも１つの分離株の抗菌剤に対する感受性を表す少なくとも１つの数のグラフィカルな表示を提供するステップと、
を実行するよう構成されたコンピュータプロセッサを提供するステップを有する、方法。
【請求項２】
前記少なくとも１つの分離株のゲノムサブタイプに関する情報を受信するステップは、
前記少なくとも１つの分離株のゲノムの少なくとも一部を記述するデータを受信するステップと、
シーケンシング動作から受信されたゲノムデータを基準データベースと比較するステップと、
前記比較の結果から前記少なくとも１つの分離株について合致するゲノムサブタイプを特定するステップと、
を有する、請求項１に記載のコンピュータ実装される方法。
【請求項３】
前記少なくとも１つの分離株の少なくとも１つの抗菌剤に対する感受性に関する情報を受信するステップは、前記少なくとも１つの抗菌剤を利用した前記少なくとも１つの分離株についての抗菌剤感受性試験の結果を受信するステップを有する、請求項１に記載のコンピュータ実装される方法。
【請求項４】
前記ゲノムサブタイプにより組織化された前記少なくとも１つの分離株の前記少なくとも１つの抗菌剤に対する感受性のグラフィカルな表示を提供するステップは、各行が１つのゲノムサブタイプに関連し、各列が１つの抗菌剤に関連する、マトリクス構成で、グラフィカルな表示を提供するステップを有する、請求項１に記載のコンピュータ実装される方法。
【請求項５】
前記ゲノムサブタイプにより組織化された前記少なくとも１つの分離株の前記少なくとも１つの抗菌剤に対する感受性のグラフィカルな表示を提供するステップは、各列が１つのゲノムサブタイプに関連し、各行が１つの抗菌剤に関連する、マトリクス構成で、グラフィカルな表示を提供するステップを有する、請求項１に記載のコンピュータ実装される方法。
【請求項６】
前記ゲノムサブタイプにより組織化された前記少なくとも１つの分離株の前記少なくとも１つの抗菌剤に対する感受性のグラフィカルな表示を提供するステップは、マトリクス構成で、色付きのアイテムのグラフィカルな表示を提供するステップを有する、請求項１に記載のコンピュータ実装される方法。
【請求項７】
前記少なくとも１つの分離株の前記抗菌剤に対する感受性を表す少なくとも１つの数のグラフィカルな表示を提供するステップは、列に、数のグラフィカルな表示を提供するステップを有する、請求項１に記載のコンピュータ実装される方法。
【請求項８】
各前記数は、特定の時間フレームにおける人数で示された当該分離株ゲノムサブタイプの患者数であり、当該分離株ゲノムサブタイプについての感受性比が、色付きの又は影付きの円として表示される、請求項１に記載のコンピュータ実装される方法。
【請求項９】
各前記数は、特定の抗菌剤に対する特定のゲノムサブタイプの複数の分離株についての平均感受性である、請求項１に記載のコンピュータ実装される方法。
【請求項１０】
各前記数は、抗菌剤に対するゲノムサブタイプについての感受性対耐性比である、請求項１に記載のコンピュータ実装される方法。
【請求項１１】
サブタイプに特有な表示を生成するための方法を実行するためのコンピュータ実行可能な命令を含むコンピュータ読み取り可能な媒体であって、前記媒体は、
少なくとも１つの抗菌剤に対する少なくとも１つの分離株の感受性に関する情報を受信するためのコンピュータ実行可能な命令と、
前記少なくとも１つの分離株のゲノムサブタイプに関する情報を受信するためのコンピュータ実行可能な命令と、
ゲノムサブタイプにより組織化された前記少なくとも１つの分離株の前記少なくとも１つの抗菌剤に対する感受性を表す少なくとも１つの数のグラフィカルな表示を提供するためのコンピュータ実行可能な命令と、
を有する、媒体。
【請求項１２】
前記少なくとも１つの分離株のゲノムサブタイプに関する情報を受信するためのコンピュータ実行可能な命令は、
前記少なくとも１つの分離株のゲノムの少なくとも一部を記述するデータを受信するためのコンピュータ実行可能な命令と、
シーケンシング動作から受信されたゲノムデータを基準データベースと比較するためのコンピュータ実行可能な命令と、
前記比較の結果から前記少なくとも１つの分離株について合致するゲノムサブタイプを特定するためのコンピュータ実行可能な命令と、
を有する、請求項１１に記載のコンピュータ読み取り可能な媒体。
【請求項１３】
前記少なくとも１つの抗菌剤に対する少なくとも１つの分離株の感受性に関する情報を受信するためのコンピュータ実行可能な命令は、前記少なくとも１つの抗菌剤を利用した前記少なくとも１つの分離株についての抗菌剤感受性試験の結果を受信するためのコンピュータ実行可能な命令を有する、請求項１１に記載のコンピュータ読み取り可能な媒体。
【請求項１４】
前記少なくとも１つの分離株の前記抗菌剤に対する感受性を表す少なくとも１つの数のグラフィカルな表示を提供するためのコンピュータ実行可能な命令は、各行が１つのゲノムサブタイプに関連し、各列が１つの抗菌剤に関連する、マトリクス構成で、グラフィカルな表示を提供するためのコンピュータ実行可能な命令を有する、請求項１１に記載のコンピュータ読み取り可能な媒体。
【請求項１５】
前記少なくとも１つの分離株の前記抗菌剤に対する感受性を表す少なくとも１つの数のグラフィカルな表示を提供するためのコンピュータ実行可能な命令は、各列が１つのゲノムサブタイプに関連し、各行が１つの抗菌剤に関連する、マトリクス構成で、グラフィカルな表示を提供するためのコンピュータ実行可能な命令を有する、請求項１１に記載のコンピュータ読み取り可能な媒体。
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
重複画像から照明配置図を作成する方法であって、前記照明配置図は、内部空間の天井に配置された複数のライトユニットの場所のマップを含み、前記方法は、
モバイルデバイスからの少なくとも２つの画像を受信するステップであって、前記少なくとも２つの画像は、前記モバイルデバイスが前記内部空間内を移動するのに従って、前記モバイルデバイスによって、異なる場所から取り込まれた少なくとも部分的に重複する区域を含む、受信するステップと、
前記少なくとも２つの画像を修正するステップと、
修正された前記少なくとも２つの画像からのデータを結合するステップと、
前記修正された少なくとも２つの画像からの結合された前記データから前記照明配置図を作成するステップと
を含む、方法。
【請求項２】
前記修正された少なくとも２つの画像からのデータを結合するステップは、前記修正された少なくとも２つの画像から統合画像を作成するステップを含み、前記結合データから前記照明配置図を作成するステップは、前記統合画像を分析し、前記照明配置図を作成するステップを含む、請求項１に記載の方法。
【請求項３】
前記少なくとも２つの画像を個々に分析し、当該画像内のライトユニットを決定及び識別するステップを更に有し、前記修正された少なくとも２つの画像からのデータを結合するステップは、個々の前記画像内の決定及び識別されたライトユニット情報を結合するステップを含み、前記結合データから前記照明配置図を作成するステップは、前記決定及び識別されたライトユニット情報から前記照明配置図を作成するステップを含む、請求項１に記載の方法。
【請求項４】
前記画像内の前記ライトユニットの決定及び識別はさらに、前記ライトユニットの各々の種類及びステータスのうちの少なくとも一方を分類することを含む、請求項３に記載の方法。
【請求項５】
前記ライトユニットの識別は、前記ライトユニットの可視光の変調に基づくか、或いは前記ライトユニット内の、若しくは前記ライトユニットと一体になった追加の赤外線源と前記追加の赤外線源によって放射される光の変調とに基づく識別子から、前記画像内のライトユニットを識別することを含む、請求項３に記載の方法。
【請求項６】
少なくとも２つの画像を取り込むモバイルデバイスであって、前記少なくとも２つの画像は、前記モバイルデバイスが内部空間内を移動するのに従って、前記モバイルデバイスによって、異なる場所から取り込まれた少なくとも部分的に重複する区域を含む、モバイルデバイスと、
重複画像から照明配置図を作成する照明配置図作成器であって、前記照明配置図は、内部空間の天井に配置された複数のライトユニットの場所のマップを含む、照明配置図作成器と
を備える、照明配置図作成システムであって、
前記モバイルデバイスは、前記少なくとも２つの画像を前記照明配置図作成器へ伝送し、前記照明配置図作成器は、
前記少なくとも２つの画像を修正する画像修正器と、
修正された前記少なくとも２つの画像からのデータを結合する画像データ結合器と
を備え、前記照明配置図は、前記修正された少なくとも２つの画像からの結合された前記データから作成される、照明配置図作成システム。
【請求項７】
前記モバイルデバイスは、前記照明配置図作成器によって制御される、請求項６に記載の照明配置図作成システム。
【請求項８】
前記モバイルデバイスは、自律デバイスである、請求項６に記載の照明配置図作成システム。
【請求項９】
請求項１乃至５の何れか一項に記載の照明配置図を作成することを含む照明コミッショニング方法であって、
取り付け照明配置図を決定するステップと、
前記取り付け照明配置図を、作成された前記照明配置図と比較するステップと、
前記取り付け照明配置図と前記作成された照明配置図との比較に基づいてコミッショニング報告を作成するステップと
を含む、照明コミッショニング方法。
【請求項１０】
利用可能な取り付け照明配置図がない場合には、前記作成された照明配置図が記憶され、後日の取得のために利用可能にされる、請求項９に記載の照明コミッショニング方法。
【請求項１１】
請求項１乃至５の何れか一項に記載の照明配置図を作成することを含む照明検査方法であって、
既定の照明配置図を決定するステップと、
前記既定の照明配置図を、作成された前記照明配置図と比較するステップと、
前記既定の照明配置図と前記作成された照明配置図との比較に基づいて検査報告を作成するステップと
を含む、照明検査方法。
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
方法であって、
処理装置により、一連の未加工画像に対応する未加工画像データを受信することと、
前記未加工画像データを前記処理装置のエンコーダにより処理して、エンコードされたデータを生成することであって、前記エンコーダが、脊椎動物の網膜の少なくとも１つの網膜細胞の入力／出力変換を実質的に模倣する入力／出力変換により特徴付けられる、生成することと、
前記エンコードされたデータに次元低減アルゴリズムを適用することを含む、前記エンコードされたデータに前記プロセッサによる処理をして、次元低減されたエンコードされたデータを生成することであって、ここで、前記次元低減アルゴリズムが、前記エンコードされたデータ内に含まれる情報を圧縮するように構成されており、ここで、前記次元低減アルゴリズムは、前記エンコードされたデータの特徴のサブセットを特定のマシンビジョンタスクのために選択し、前記エンコードされたデータの他の特徴を前記特定のマシンビジョンタスクのために無視するものと、を含む、方法。
【請求項２】
前記エンコードされたデータが、一連のエンコードされた網膜画像を含み、前記エンコードされたデータを処理することが、前記一連のエンコードされた網膜画像を処理して、前記エンコードされた網膜画像に基づいて特徴部シグネチャデータを生成することを含む、請求項１に記載の方法。
【請求項３】
前記特徴部シグネチャデータが、複数の網膜画像領域に関する情報を含む、請求項２に記載の方法。
【請求項４】
前記特徴部シグネチャデータが、前記複数の網膜画像領域のそれぞれに対応する動作データを含む、請求項３に記載の方法。
【請求項５】
前記特徴部シグネチャデータが、前記複数の網膜画像領域のそれぞれに対応する光学フローデータを含む、請求項３に記載の方法。
【請求項６】
前記エンコードされたデータを処理することが、訓練されたアルゴリズムを前記エンコードされたデータに適用することを含み、ここで、前記訓練されたアルゴリズムが、訓練データセットのエンコードされた訓練データで訓練され、前記エンコードされた訓練データが、脊椎動物の網膜の１つまたは複数の網膜細胞の入力／出力変換を実質的に模倣する入力／出力変換により特徴付けられる訓練エンコーダを使用してエンコードされたものである、請求項１に記載の方法。
【請求項７】
前記訓練セットのエンコードされた訓練データが、仮想環境のエンコードされた画像を含み、前記未加工画像データが、現実環境の未加工画像を含む、請求項６に記載の方法。
【請求項８】
前記訓練セットのエンコードされた訓練データが、第１の条件セットの下で取得された画像を含み、前記未加工画像データが、前記第１の条件セットとは異なる第２の条件セットの下で取得された未加工画像を含む、請求項６に記載の方法。
【請求項９】
前記特定のマシンビジョンタスクを実行するためにマシンビジョンアルゴリズムを前記次元低減されたエンコードされたデータに適用することをさらに含む、請求項１に記載の方法。
【請求項１０】
前記エンコードされたデータを処理して次元低減されたエンコードされたデータを生成することが、前記未加工画像データを処理してエンコードされたデータを生成することの後に、かつ前記マシンビジョンアルゴリズムを前記次元低減されたエンコードされたデータに適用することの前に行われる、請求項９に記載の方法。
【請求項１１】
前記未加工画像データを処理してエンコードされたデータを生成することが、前記未加工画像データと比較して次元が低減されたエンコードされたデータを生成することを含み、前記エンコードされたデータを処理して前記次元低減されたエンコードされたデータを生成することが、前記未加工画像データと比較してすでに次元が低減された前記エンコードされたデータを追加的に圧縮することを含む、請求項１に記載の方法。
【請求項１２】
前記エンコードされたデータに含まれる情報の量が、前記対応する未加工画像データと比較して少なくとも約二分の一に圧縮され、前記次元低減されたエンコードされたデータが、前記対応するエンコードされたデータと比較して少なくとも約二分の一に圧縮される、請求項１１に記載の方法。
【請求項１３】
装置であって、
未加工画像データを記憶するように構成された少なくとも１つのメモリ記憶装置と、
前記メモリに作動可能に連結された少なくとも１つのプロセッサであって、
一連の未加工画像に対応する未加工画像データを受信し、
脊椎動物の網膜の少なくとも１つの網膜細胞の入力／出力変換を実質的に模倣する入力／出力変換を使用して前記未加工画像データを処理してエンコードされたデータを生成し、
次元低減アルゴリズムを前記エンコードされたデータに適用することにより前記エンコードされたデータを処理して次元低減されたエンコードされたデータを生成するようにプログラムされた、少なくとも１つのプロセッサと、を備え、前記次元低減アルゴリズムが、前記エンコードされたデータに含まれる情報の量を圧縮するように構成され、ここで、前記次元低減アルゴリズムは、前記エンコードされたデータの特徴のサブセットを特定のマシンビジョンタスクのために選択し、前記エンコードされたデータの他の特徴を前記特定のマシンビジョンタスクのために無視するものである、装置。
【請求項１４】
前記少なくとも１つのプロセッサに作動可能に連結されたロボット装置であって、前記未加工画像データを生成するように構成された少なくとも１つの画像センサを備えた、ロボット装置、をさらに備えた、請求項１３に記載の装置。
【請求項１５】
前記特徴部シグネチャデータは、前記複数の網膜画像領域のそれぞれの領域に関連する特徴の値を含む成分を有するベクトルを含む、請求項２に記載の方法。
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
充電電力をワイヤレスに伝達するための装置であって、
コイルにおいて、時変電流によって駆動されたときにワイヤレス場を生成するための手段と、
前記生成するための手段が前記ワイヤレス場を生成する間、前記生成するための手段と接地との間の寄生キャパシタンスを判定するための手段と、
前記判定された寄生キャパシタンスが検出基準を満たすことに応答して外来物の存在を判定するための手段と
を備える装置。
【請求項２】
前記コイルが、前記時変電流によって駆動されることに応答して前記ワイヤレス場を生成するように構成され、
寄生キャパシタンスを判定するための前記手段が、前記コイルが前記ワイヤレス場を生成する間、前記コイルと接地との間の前記寄生キャパシタンスを判定するように構成された測定回路を含み、
外来物の存在を判定するための前記手段が、前記判定された寄生キャパシタンスが前記検出基準を満たすことに応答して外来物の前記存在を判定するように構成されたコントローラ回路を含む、請求項1に記載の装置。
【請求項３】
前記検出基準は、前記外来物の存在に対応するようにあらかじめ定められた前記判定された寄生キャパシタンスの時変パターンを含む、請求項1又は2のいずれか1項に記載の装置。
【請求項４】
前記検出基準は、前記判定された寄生キャパシタンスのしきい値変化を含む、請求項1又は2のいずれか1項に記載の装置。
【請求項５】
前記コントローラ回路は、前記外来物の前記存在を判定したことに応答して前記コイルを駆動する前記時変電流を調整するように構成される、請求項2に記載の装置。
【請求項６】
前記測定回路は、複数の時刻の各々において前記寄生キャパシタンスを判定するように構成され、
前記コントローラ回路は、所定の関係を満たす前記複数の時刻の各々における前記判定された寄生キャパシタンスの相関に応答して前記外来物の前記存在を判定するように構成される、請求項2に記載の装置。
【請求項７】
充電可能なデバイスから信号を受信するように構成された通信回路であって、前記信号がワイヤレス充電に関する前記充電可能なデバイスの存在を示す、通信回路をさらに備え、
前記コントローラ回路は、前記通信回路が前記充電可能なデバイスから前記信号を受信したことに応答して前記コイルの少なくとも1つの動作パラメータを調整するように構成される、請求項2に記載の装置。
【請求項８】
前記外来物は、人間、別の生物、または非金属物体を含む、請求項1又は2のいずれか1項に記載の装置。
【請求項９】
前記コイルは、前記ワイヤレス場の磁場成分を介して前記充電電力を充電可能なデバイスにワイヤレスに伝達するようにさらに構成される、請求項1又は2のいずれか1項に記載の装置。
【請求項１０】
充電電力をワイヤレスに伝達するための方法であって、
コイルにおいて、時変電流によって駆動されたときにワイヤレス場を生成するステップと、
前記コイルが前記ワイヤレス場を生成する間、前記コイルと接地との間の寄生キャパシタンスを判定するステップと、
前記判定された寄生キャパシタンスが検出基準を満たすことに応答して外来物の存在を判定するステップと
を含む方法。
【請求項１１】
前記検出基準は、前記外来物の存在に対応するようにあらかじめ定められた前記判定された寄生キャパシタンスの時変パターンを含む、請求項10に記載の方法。
【請求項１２】
前記検出基準は、前記外来物の存在に対応するようにあらかじめ定められた前記判定された寄生キャパシタンスのしきい値変化を含む、請求項10に記載の方法。
【請求項１３】
前記外来物の前記存在を判定したことに応答して前記コイルを駆動する前記時変電流を調整するステップをさらに含む、請求項10に記載の方法。
【請求項１４】
複数の時刻の各々において前記寄生キャパシタンスを判定するステップと、
所定の関係を満たす前記複数の時刻の各々における前記判定された寄生キャパシタンスの相関に応答して前記外来物の前記存在を判定するステップと
をさらに含む、請求項10に記載の方法。
【請求項１５】
充電可能なデバイスから信号を受信するステップであって、前記信号が、ワイヤレス充電に関して前記充電可能なデバイスの存在を示す、ステップと、
前記充電可能なデバイスから前記信号を受信したことに応答して前記コイルの少なくとも1つの動作パラメータを調整するステップと
をさらに含む、請求項10に記載の方法。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
充電電力をワイヤレスに受信するための装置であって、
第1のエンクロージャであって、
交流磁場の作用によって交流電流を生成するように構成された受信カプラと、
直流電流を生成するように前記交流電流を修正するように構成された整流器回路であって、該整流器回路は、前記第1のエンクロージャから離れて異なる位置に配置された第2のエンクロージャ内のコントローラ回路に、前記第1のエンクロージャから、前記直流電流を出力するように構成される、整流器回路と
を少なくとも含む第1のエンクロージャを備える装置。
【請求項２】
前記整流器回路から前記直流電流を受信するように構成された少なくとも1つの直流電流インダクタをさらに備える、請求項1に記載の装置。
【請求項３】
前記少なくとも1つの直流電流インダクタは、前記第1のエンクロージャ内に位置する、請求項2に記載の装置。
【請求項４】
前記少なくとも1つの直流電流インダクタは、前記第2のエンクロージャ内に位置する、請求項2に記載の装置。
【請求項５】
前記コントローラ回路を含む前記第2のエンクロージャをさらに備える、請求項1に記載の装置。
【請求項６】
前記コントローラ回路は、前記直流電流をバッテリーに選択的に供給するように構成される、請求項1に記載の装置。
【請求項７】
前記第1のエンクロージャおよび前記第2のエンクロージャ内の電気的構成要素は、並列同調共振回路を含む、請求項1に記載の装置。
【請求項８】
前記第1のエンクロージャおよび前記第2のエンクロージャ内の電気的構成要素は、倍電流回路を含む、請求項1に記載の装置。
【請求項９】
前記第1のエンクロージャおよび前記第2のエンクロージャ内の電気的構成要素は、インターリーブ型倍電流回路を含む、請求項1に記載の装置。
【請求項１０】
充電電力をワイヤレスに受信するための方法であって、
第1のエンクロージャ内において、交流磁場の作用によって交流電流を生成するステップと、
前記第1のエンクロージャ内において、直流電流を生成するように前記交流電流を修正するステップと、
前記第1のエンクロージャから離れて異なる位置に配置された第2のエンクロージャ内のコントローラ回路に、前記第1のエンクロージャから、前記直流電流を出力するステップと
を含む方法。
【請求項１１】
前記直流電流を前記コントローラ回路を介してバッテリーに選択的に供給するステップをさらに含む、請求項10に記載の方法。
【請求項１２】
前記第1のエンクロージャおよび前記第2のエンクロージャ内の電気的構成要素は、並列同調共振回路を含む、請求項10に記載の方法。
【請求項１３】
前記第1のエンクロージャおよび前記第2のエンクロージャ内の電気的構成要素は、倍電流回路を含む、請求項10に記載の方法。
【請求項１４】
前記第1のエンクロージャおよび前記第2のエンクロージャ内の電気的構成要素は、インターリーブ型倍電流回路を含む、請求項10に記載の方法。
【請求項１５】
コードを記憶した非一時的コンピュータ可読記録媒体であって、前記コードは、実行されたときに、装置に、請求項10乃至14のいずれか1項に記載の方法を実行させる、非一時的コンピュータ可読記録媒体。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
癌細胞に対する選択性を有する複製可能な腫瘍溶解性アデノウイルスであって、前記アデノウイルスに内在するプロモーターの制御下に導入遺伝子を含み、前記導入遺伝子が、Ｂ７タンパク質またはその活性フラグメントをコードするＤＮＡ配列を含み、
前記導入遺伝子が、アデノウイルスＬ５遺伝子の停止コドン−ポリＡ認識部位とアデノウイルスＥ４遺伝子の停止コドン−ポリＡ認識部位との間に位置し、
前記導入遺伝子が、内在性の主要後期プロモーターの制御下にある、
アデノウイルス。
【請求項２】
前記Ｂ７タンパク質またはその活性フラグメントが、Ｂ７−１、Ｂ７−２、Ｂ７−ＤＣ、Ｂ７−Ｈ１、Ｂ７−Ｈ２、Ｂ７−Ｈ３、Ｂ７−Ｈ４、Ｂ７−Ｈ５およびＢ７−Ｈ６を含む群より独立して選択される、請求項１に記載の複製可能な腫瘍溶解性ウイルス。
【請求項３】
前記Ｂ７タンパク質またはその活性フラグメントがＢ７−１である、請求項２に記載の複製可能な腫瘍溶解性ウイルス。
【請求項４】
Ｂ群アデノウイルスである、請求項１に記載の複製可能な腫瘍溶解性ウイルス。
【請求項５】
キメラウイルスである、請求項１〜４のいずれか１項に記載の複製可能な腫瘍溶解性ウイルス。
【請求項６】
ウイルス骨格がｅｎａｄｅｎｏｔｕｃｉｒｅｖである、請求項５に記載の複製可能な腫瘍溶解性ウイルス。
【請求項７】
式（Ｉ）：
５’ＩＴＲ−Ｂ１−ＢＡ−Ｂ２−ＢＸ−ＢＢ−ＢＹ−Ｂ３−３’ＩＴＲ      （Ｉ）
を有し、
Ｂ１が、Ｅ１Ａ、Ｅ１ＢまたはＥ１Ａ−Ｅ１Ｂを含み、
ＢＡがＥ２Ｂ−Ｌ１−Ｌ２−Ｌ３−Ｅ２Ａ−Ｌ４であり、
Ｂ２が、結合であるか、例えば内在性プロモーターまたは外来プロモーターの下にＥ３または導入遺伝子を含み、
ＢＸが、結合であるか、制限部位、１つもしくは複数の導入遺伝子またはその両方を含むＤＮＡ配列であり、
ＢＢがＬ５を含み、
ＢＹが、Ｂ７タンパク質またはその活性フラグメントをコードする導入遺伝子を含み、
Ｂ３が、結合であるか、Ｅ４を含む、
請求項６に記載の複製可能な腫瘍溶解性ウイルス。
【請求項８】
前記Ｂ７タンパク質またはその活性フラグメントが、膜貫通配列、例えばＰＤＧＦ受容体由来の膜貫通ドメイン、または細胞膜内に前記タンパク質もしくはフラグメントを係留するのに適したＧＰＩアンカーを含む、請求項１〜７のいずれか１項に記載の複製可能な腫瘍溶解性ウイルス。
【請求項９】
例えばサイトカイン、ケモカイン、アンタゴニスト抗体分子またはそのフラグメントおよびアゴニスト抗体分子またはそのフラグメントを含む群より選択されるポリペプチドをコードする、第二の導入遺伝子をさらに含む、請求項１〜８のいずれか１項に記載の複製可能な腫瘍溶解性ウイルス。
【請求項１０】
例えばサイトカイン、ケモカイン、アンタゴニスト抗体分子またはそのフラグメントおよびアゴニスト抗体分子またはそのフラグメントを含む群より選択される２つの異なるポリペプチドをコードする、第二の導入遺伝子および第三の導入遺伝子を含む、請求項１〜９のいずれか１項に記載の複製可能な腫瘍溶解性ウイルス。
【請求項１１】
前記第二の導入遺伝子または前記第三の導入遺伝子が、ＩＬ−２、ＩＦＮα、ＩＦＮβ、ＩＦＮγ、Ｆｌｔ３リガンド、ＧＭ−ＣＳＦ、ＩＬ−１５およびＩＬ−１２を含む群より選択されるサイトカインをコードする、請求項９または１０に記載の複製可能な腫瘍溶解性ウイルス。
【請求項１２】
前記第二の導入遺伝子または前記第三の導入遺伝子が、ＭＩＰ−１α、ＩＬ−８、ＣＣＬ５、ＣＣＬ１７、ＣＣＬ２０、ＣＣＬ２２、ＣＸＣＬ９、ＣＸＣＬ１０、ＣＸＣＬ１１、ＣＸＣＬ１３、ＣＸＣＬ１２、ＣＣＬ２、ＣＣＬ１９およびＣＣＬ２１を含む群より選択されるケモカインをコードする、請求項９〜１１のいずれか１項に記載の複製可能な腫瘍溶解性ウイルス。
【請求項１３】
Ｍｉｐ１αとＦｌｔ３リガンド、およびＭｉｐ１αとＩＦＮαを含む群より選択されるサイトカインとケモカインの組合せが前記ウイルスによってコードされる、請求項９または１２に記載の複製可能な腫瘍溶解性ウイルス。
【請求項１４】
抗体分子またはそのフラグメントをコードする、請求項１〜１３のいずれか１項に記載の複製可能な腫瘍溶解性ウイルス。
【請求項１５】
前記抗体分子または抗体フラグメント分子が、細胞膜係留型になるよう膜貫通配列またはＧＰＩアンカーを含むか、例えばＰＤＧＦ受容体由来の膜貫通ドメインを含む、請求項１４に記載の複製可能な腫瘍溶解性ウイルス。
【請求項１６】
前記抗体分子または抗体フラグメント分子が、抗ヒトＣＤ３抗原結合ドメインを含む、請求項１４または１５に記載の複製可能な腫瘍溶解性ウイルス。
【請求項１７】
前記抗体分子が、例えば、血管新生因子の阻害物質（抗ＶＥＧＦ抗体分子など）およびＴ細胞不活化因子の阻害物質（抗ＣＴＬＡ−４抗体分子など）を含む群より選択される、阻害物質である、請求項１４〜１６に記載の複製可能な腫瘍溶解性ウイルス。
【請求項１８】
前記抗体分子が、例えばＣＤ４０、ＧＩＴＲ、ＯＸ４０、ＣＤ２７および４−１ＢＢを含む群より選択される１つまたは複数のものに対する、アゴニストである、請求項１４〜１７に記載の複製可能な腫瘍溶解性ウイルス。
【請求項１９】
請求項１〜１８のいずれか１項に記載の複製可能な腫瘍溶解性アデノウイルスと、希釈剤または担体と、を含む複製を含む、医薬組成物。
【請求項２０】
治療有効量の請求項１〜１８のいずれか１項に記載の複製可能なアデノウイルスまたは請求項１９に記載の組成物を投与することを含む、患者を治療する方法。
【請求項２１】
治療に使用するための、請求項１〜１８に記載の複製可能なアデノウイルスまたは請求項１８に記載の組成物。
【請求項２２】
例えば癌の治療のための、医薬の製造における使用のための、請求項１〜１８に記載の複製可能なアデノウイルスまたは請求項１８に記載の組成物の使用。
【請求項２３】
宿主細胞内で複製させることによって請求項１〜１８に記載の複製可能なアデノウイルスを作製する方法。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
２つの送受信機と、
前記２つの送受信機に電磁結合された、電磁波を伝搬するための導波管であって、前記導波管は、基材と、あるパターンで配置された複数の共振器とを備え、前記複数の共振器は共振周波数を有している、導波管と、を備える装置であって、
前記複数の共振器のそれぞれは、前記基材の比誘電率より高い比誘電率を有し、
前記複数の共振器のうちの少なくとも２つは、前記共振器のうちの第１共振器の中心と、前記共振器のうちの隣接する第２共振器の中心との間の距離を規定する格子定数に従って、離れている、装置。
【請求項２】
前記導波管は可撓性である、請求項１に記載の装置。
【請求項３】
前記２つの送受信機のうちの第１送受信機に電気結合され、第１感知信号を生成するように構成された、第１センサを更に備える、請求項１に記載の装置。
【請求項４】
前記格子定数は、前記電磁波の前記波長未満である、請求項１に記載の装置。
【請求項５】
前記複数の共振器の前記共振周波数は、前記電磁波の周波数に少なくとも部分的に基づいて選択される、請求項１に記載の装置。
【請求項６】
前記複数の共振器のそれぞれは、前記基材の比誘電率の少なくとも５倍の比誘電率を有する、請求項１に記載の装置。
【請求項７】
請求項１〜６のいずれか１項に記載の装置を備える、ウェアラブル装置。
【請求項８】
第１及び第２送受信機と、
前記第１送受信機と前記第２送受信機との間に延び、これらと結合された導波管を形成する、共振器の規則的アレイとを備える、無線通信システム。
【請求項９】
前記導波管は非線形部分を含む、請求項８に記載の無線通信システム。
【請求項１０】
電磁波を伝搬するための導波管であって、
基材と、
それぞれが、第１の大きさを概ね有する、誘電体共振器の第１セットと、
それぞれが、前記第１の大きさよりも大きい、第２の大きさを概ね有する、誘電体共振器の第２セットとを備え、
前記第１セット及び前記第２セットの誘電体共振器のそれぞれは、前記基材の比誘電率より高い比誘電率を有する、導波管。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
デバイスにおいて実行可能な方法であって、
前記デバイスにおいて、複数のサービングノードとのコンカレントな複数のコンテキストを前記デバイスの論理インスタンスのために取得するステップと、
前記複数のコンテキストの各々をコンテキスト一意識別子に関連付けるステップであって、前記コンテキスト一意識別子が、前記デバイスの前記それぞれの論理インスタンスおよび物理識別子に関して導出された一意の識別子の組合せであり、各コンテキスト一意識別子が、前記複数のコンテキストにおける1つのコンテキストを一意に識別する、ステップと、
各コンテキスト一意識別子をそれぞれのコンテキストに対応するデータに関連付けるステップと、
前記データを、前記複数のコンテキストを介し、前記複数のコンテキストによって共有される無線リンクを介して送るステップと
を含む、方法。
【請求項２】
前記複数のサービングノードは、1つまたは複数の物理サービングノードの複数の論理インスタンスから構成される、
請求項1に記載の方法。
【請求項３】
各コンテキストはサービスに相当する、
請求項1に記載の方法。
【請求項４】
各コンテキストは、複数のサブスクリプションに関連付けられる、
請求項1に記載の方法。
【請求項５】
前記デバイスは、複数の証明情報に関連付けられ、各コンテキストは、前記複数の証明情報のうちの別個の証明情報に関連付けられる、
請求項1に記載の方法。
【請求項６】
前記複数のコンテキストは、複数の証明情報に関連付けられる、
請求項1に記載の方法。
【請求項７】
前記複数のコンテキストのうちの少なくとも1つが、加入者証明情報のデフォルトセットである加入者証明情報のセットに相当する、
請求項1に記載の方法。
【請求項８】
前記複数のコンテキストは、複数の非アクセス層(NAS)コンテキストである、
請求項1に記載の方法。
【請求項９】
前記複数のサービングノードは、複数のモビリティ管理エンティティ(MME)である、
請求項1に記載の方法。
【請求項１０】
前記複数のサービングノードは互いに独立している、
請求項1に記載の方法。
【請求項１１】
ワイヤレスネットワークを介して通信するように構成されたネットワーク通信インターフェース回路と、
前記ネットワーク通信インターフェース回路に結合された処理回路と
を備え、前記処理回路が、
複数のサービングノードとのコンカレントな複数のコンテキストをデバイスの論理インスタンスのために取得することと、
前記複数のコンテキストの各々をコンテキスト一意識別子に関連付けることであって、前記コンテキスト一意識別子が、前記デバイスの前記それぞれの論理インスタンスおよび物理識別子に関して導出された一意の識別子の組合せであり、各コンテキスト一意識別子が、前記複数のコンテキストにおける1つのコンテキストのみを一意に識別する、関連付けることと、
各コンテキスト一意識別子をそれぞれのコンテキストに対応するデータに関連付けることと、
前記データを、前記複数のコンテキストを介し、前記複数のコンテキストによって共有される無線リンクを介して送ることと
を行うように構成される
デバイス。
【請求項１２】
アクセスノードにおいて実行可能な方法であって、
デバイスの論理インスタンスのためにコンカレントな複数のコンテキストによって共有される無線リンクを介して前記デバイスからデータを受信するステップであって、前記データが第1のコンテキスト一意識別子に関連付けられ、前記第1のコンテキスト一意識別子が前記複数のコンテキストにおける1つのコンテキストのみを一意に識別し、コンテキスト一意識別子が、前記デバイスの前記それぞれの論理インスタンスおよび物理識別子に関して導出された一意の識別子の組合せである、ステップと、
前記第1のコンテキスト一意識別子に基づいて前記データをルーティングするためにモビリティ管理エンティティ(MME)選択を実行するステップと
を含む、方法。
【請求項１３】
ワイヤレスネットワークを介してデバイスと通信するように構成されたネットワーク通信インターフェース回路と、
前記ネットワーク通信インターフェース回路に結合された処理回路と
を備え、前記処理回路が、
デバイスの論理インスタンスのためにコンカレントな複数のコンテキストによって共有される無線リンクを介して前記デバイスからデータを受信することであって、前記データが第1のコンテキスト一意識別子に関連付けられ、前記第1のコンテキスト一意識別子が前記複数のコンテキストにおける1つのコンテキストのみを一意に識別し、コンテキスト一意識別子が、前記デバイスの前記それぞれの論理インスタンスおよび物理識別子に関して導出された一意の識別子の組合せである、受信することと、
前記第1のコンテキスト一意識別子に基づいて前記データをルーティングするためにモビリティ管理エンティティ(MME)選択を実行することと
を行うように構成される
アクセスノード。
【請求項１４】
実行されたとき、請求項1から10または12のいずれか一項に記載の方法をプロセッサに実行させるように構成されるプロセッサ実行可能ソフトウェア命令を記憶する、
コンピュータ可読記憶媒体。